(57)【要約】【課題】  マッサージを促すことができる画像表示システムを提供する。【解決手段】  画像表示システム１は、入力装置５０と、情報処理装置１０と、表示装置９０とを含み構成されている。入力装置５０は、音を検知するマイクロフォン５２を有する。また、情報処理装置１０は、マイクロフォン５２により検知された音の音量に応じて、表示させるコンテンツを変化させて表示する表示手段を有する。画像表示システム１は、マイクロフォン５２により検知された摩擦音の音量に応じて、表示装置９０に表示させるコンテンツを変化させて表示する。【選択図】図１
2018143592.tif 000002
【特許請求の範囲】
【請求項１】
入力装置と、情報処理装置とを含む画像表示システムであって、
前記入力装置は、
音を検知する検知手段
を有し、
前記情報処理装置は、
前記検知手段により検知された音の音量に応じて、表示させるコンテンツを変化させて表示する表示手段と
を有する
画像表示システム。
【請求項２】
コンテンツは、画像データと、音声データとを組み合わせて構成され、
前記検知手段により検知された音の音量が既定のしきい値を超えたか否かを判定する音量判定手段と、
前記音量判定手段により判定された判定結果に応じて、表示するコンテンツを作成するコンテンツ作成手段
をさらに有し、
前記コンテンツ作成手段は、音量がしきい値を超えた場合に出力するコンテンツ、又は、音量がしきい値以下の場合に出力するコンテンツを作成し、
前記表示手段は、前記音量判定手段により判定された判定結果に応じて作成されたコンテンツを表示する
請求項１に記載の画像表示システム。
【請求項３】
コンテンツに含まれる画像データには、人型キャラクターまたは人物の画像データが含まれ、
前記表示手段により表示しているコンテンツが、音量がしきい値を超えた場合に表示するコンテンツか、音量がしきい値以下の場合に表示するコンテンツかを識別する識別手段と、
前記音量判定手段により判定された判定結果と、前記識別手段により識別された識別結果との組み合わせに応じて、表示するコンテンツを切り替える切替手段と
をさらに有し、
前記表示手段は、前記切替手段により、作成されたコンテンツから表示しているコンテンツに切り替えながら表示する
請求項２に記載の画像表示システム。
【請求項４】
前記入力装置は、人体の一部をマッサージするマッサージ器具とマイクロフォンとにより構成され、
前記検知手段は、マイクロフォンであり、
前記検知手段は、マッサージ器具の内部又は外部に配置され、マッサージ器具近傍の音を検知する
請求項３に記載の画像表示システム。
【請求項５】
人体の一部とは、外陰部であり、
マッサージ器具は、マッサージされる人体の一部と接触する部分において、柔らかい素材により形成され、
前記検知手段は、外陰部とマッサージ器具とを摩擦することにより生じた音を検知し、
前記表示手段は、外陰部とマッサージ器具とを摩擦することにより生じた音の音量に応じて、表示させるコンテンツを変化させて表示する
請求項４に記載の画像表示システム。
【請求項６】
前記検知手段により検知された音のうち、主として外陰部とマッサージ器具とを摩擦する摩擦音の周波数範囲を選択する周波数範囲選択手段
をさらに有し、
前記音量判定手段は、前記周波数範囲選択手段により選択された外陰部とマッサージ器具とを摩擦する摩擦音の周波数範囲において、摩擦音の音量が既定のしきい値を超えたか否かを判定し、
前記表示手段は、前記音量判定手段により判定された判定結果に応じて作成されたコンテンツを表示する
請求項５に記載の画像表示システム。
【請求項７】
マッサージ器具は、マッサージ器具の内部又は外部に潤滑剤を塗布され、
前記検知手段は、潤滑剤を塗布されたマッサージ器具近傍の音を検知し、
前記音量判定手段は、潤滑剤から生じた音を含む摩擦音の音量が既定のしきい値を超えたか否かを判定し、
前記表示手段は、前記音量判定手段により判定された判定結果に応じて作成されたコンテンツを表示する
請求項６に記載の画像表示システム。
【請求項８】
前記情報処理装置は、コンテンツを表示する表示装置と複合化された複合携帯機器であり、
前記検知手段により検知された摩擦音を伝送可能に、前記入力装置と前記複合携帯機器とを接続する接続ケーブル
をさらに有し、
前記表示手段は、前記接続ケーブルを介して伝送された摩擦音の音量に応じて、表示装置に表示させるコンテンツを変化させて表示する
請求項７に記載の画像表示システム。
【請求項９】
前記情報処理装置は、
撮影されたコンテンツを通信する通信手段
をさらに有し、
前記表示手段は、前記通信手段により受信したコンテンツを、検知した音の音量に応じて切り替えながら表示する
請求項８に記載の画像表示システム。
【請求項１０】
人体の一部をマッサージするマッサージ器具と、
前記マッサージ器具の内部又は外部に配置され、当該マッサージ器具近傍の音を検知する検知手段と
を有し、
前記マッサージ器具は、マッサージされる人体の一部と接触する部分において、柔らかい素材により形成されている
入力装置。
【請求項１１】
前記マッサージ器具には、筒状の精子採取器具および棒状の小型マッサージ器具が含まれ、
柱状であり、前記マッサージ器具を着脱自在に固定する穴を備えた固定ホルダー
をさらに有し、
前記検知手段は、前記固定ホルダーの穴の内部、又は、穴の表面のいずれかに設けた
請求項１０に記載の入力装置。
【請求項１２】
前記固定ホルダーに接続され、表示装置を取り付ける機構を設けた固定台
をさらに有する
請求項１１に記載の入力装置。
【請求項１３】
人体と接触する際の音が特定の周波数の音が発生するように予め調節された
請求項１０乃至１２のいずれかに記載の入力装置。
【請求項１４】
帯状であり、前記マッサージ器具の外部に着脱自在に巻き付けた固定具と
をさらに有し、
前記検知手段は、前記固定具により前記マッサージ器具の外部に固定されている
請求項１０乃至１２のいずれかに記載の入力装置。
【請求項１５】
接続ケーブルを介して入力装置を接続する接続端子と、
接続された入力装置により検知された音の音量に応じて、表示しているコンテンツを変化させて表示する表示手段と
を有する複合携帯機器。
【請求項１６】
入力装置を介して音を検知するステップと、
検知された音の音量に応じて表示させるコンテンツを変化させて表示するステップと
を有する画像表示方法。
【請求項１７】
入力装置を介して音を検知するステップと、
検知された音の音量に応じて表示させるコンテンツを変化させて表示するステップと
をコンピュータに実現させるプログラム。
【発明の詳細な説明】
【技術分野】
【０００１】
本発明は、画像表示システムに関するものである。
【背景技術】
【０００２】
例えば、特許文献１には、電動モータによって駆動される作動部を備えた電動性器具と、アダルトコンテンツの動画データ、音声データ、及び当該アダルトコンテンツの内容に対応した電動性器具の制御データを格納した記録媒体と、この記録媒体の動画データ及び音声データを読み取り、動画及び音声を再生する手段と、この記録媒体の制御データを読み取り、電動性器具の制御信号を生成する手段と、該制御信号を電動性器具に表示し、その動作を動画及び音声の内容に同期させて制御する手段と、を備えたことを特徴とする電動性器具の制御システムが開示されている。
【先行技術文献】
【特許文献】
【０００３】
【特許文献１】特開２００６−７５４２２号公報
【発明の概要】
【発明が解決しようとする課題】
【０００４】
本発明は、マッサージを促すことができる画像表示システムを提供することを目的とする。
【課題を解決するための手段】
【０００５】
本発明に係る画像表示システムは、入力装置と、情報処理装置とを含む画像表示システムであって、前記入力装置は、音を検知する検知手段を有し、前記情報処理装置は、前記検知手段により検知された音の音量に応じて、表示させるコンテンツを変化させて表示する表示手段とを有する。
【０００６】
好適には、コンテンツは、画像データと、音声データとを組み合わせて構成され、前記検知手段により検知された音の音量が既定のしきい値を超えたか否かを判定する音量判定手段と、前記音量判定手段により判定された判定結果に応じて、表示するコンテンツを作成するコンテンツ作成手段をさらに有し、前記コンテンツ作成手段は、音量がしきい値を超えた場合に出力するコンテンツ、又は、音量がしきい値以下の場合に出力するコンテンツを作成し、前記表示手段は、前記音量判定手段により判定された判定結果に応じて作成されたコンテンツを表示する。
【０００７】
好適には、コンテンツに含まれる画像データには、人型キャラクターまたは人物の画像データが含まれ、前記表示手段により表示しているコンテンツが、音量がしきい値を超えた場合に表示するコンテンツか、音量がしきい値以下の場合に表示するコンテンツかを識別する識別手段と、前記音量判定手段により判定された判定結果と、前記識別手段により識別された識別結果との組み合わせに応じて、表示するコンテンツを切り替える切替手段とをさらに有し、前記表示手段は、前記切替手段により、作成されたコンテンツから表示しているコンテンツに切り替えながら表示する。
【０００８】
好適には、前記入力装置は、人体の一部をマッサージするマッサージ器具とマイクロフォンとにより構成され、前記検知手段は、マイクロフォンであり、前記検知手段は、マッサージ器具の内部又は外部に配置され、マッサージ器具近傍の音を検知する。
【０００９】
好適には、人体の一部とは、外陰部であり、マッサージ器具は、マッサージされる人体の一部と接触する部分において、柔らかい素材により形成され、前記検知手段は、外陰部とマッサージ器具とを摩擦することにより生じた音を検知し、前記表示手段は、外陰部とマッサージ器具とを摩擦することにより生じた音の音量に応じて、表示させるコンテンツを変化させて表示する。
【００１０】
好適には、前記検知手段により検知された音のうち、主として外陰部とマッサージ器具とを摩擦する摩擦音の周波数範囲を選択する周波数範囲選択手段をさらに有し、前記音量判定手段は、前記周波数範囲選択手段により選択された外陰部とマッサージ器具とを摩擦する摩擦音の周波数範囲において、摩擦音の音量が既定のしきい値を超えたか否かを判定し、前記表示手段は、前記音量判定手段により判定された判定結果に応じて作成されたコンテンツを表示する。
【００１１】
好適には、マッサージ器具は、マッサージ器具の内部又は外部に潤滑剤を塗布され、前記検知手段は、潤滑剤を塗布されたマッサージ器具近傍の音を検知し、前記音量判定手段は、潤滑剤から生じた音を含む摩擦音の音量が既定のしきい値を超えたか否かを判定し、前記表示手段は、前記音量判定手段により判定された判定結果に応じて作成されたコンテンツを表示する。
【００１２】
好適には、前記情報処理装置は、コンテンツを表示する表示装置と複合化された複合携帯機器であり、前記検知手段により検知された摩擦音を伝送可能に、前記入力装置と前記複合携帯機器とを接続する接続ケーブルをさらに有し、前記表示手段は、前記接続ケーブルを介して伝送された摩擦音の音量に応じて、表示装置に表示させるコンテンツを変化させて表示する。
【００１３】
好適には、前記情報処理装置は、撮影されたコンテンツを通信する通信手段をさらに有し、前記表示手段は、前記通信手段により受信したコンテンツを、検知した音の音量に応じて切り替えながら表示する。
【００１４】
また、本発明に係る入力装置は、人体の一部をマッサージするマッサージ器具と、前記マッサージ器具の内部又は外部に配置され、当該マッサージ器具近傍の音を検知する検知手段とを有し、前記マッサージ器具は、マッサージされる人体の一部と接触する部分において、柔らかい素材により形成されている。
【００１５】
好適には、前記マッサージ器具には、筒状の精子採取器具および棒状の小型マッサージ器具が含まれ、柱状であり、前記マッサージ器具を着脱自在に固定する穴を備えた固定ホルダーをさらに有し、前記検知手段は、前記固定ホルダーの穴の内部、又は、穴の表面のいずれかに設けられている。
【００１６】
好適には、前記固定ホルダーに接続され、表示装置を取り付ける機構を設けた固定台
をさらに有する。
【００１７】
好適には、人体と接触する際の音が特定の周波数の音が発生するように予め調節されている。
【００１８】
好適には、帯状であり、前記マッサージ器具の外部に着脱自在に巻き付けた固定具とをさらに有し、前記検知手段は、前記固定具により前記マッサージ器具の外部に固定されている。
【００１９】
また、本発明に係る複合携帯機器は、接続ケーブルを介して入力装置を接続する接続端子と、接続された入力装置により検知された音の音量に応じて、表示しているコンテンツを変化させて表示する表示手段とを有する。
【００２０】
また、本発明に係る画像表示方法は、入力装置を介して音を検知するステップと、検知された音の音量に応じて表示させるコンテンツを変化させて表示するステップとを有する。
【００２１】
また、本発明に係るプログラムは、入力装置を介して音を検知するステップと、検知された音の音量に応じて表示させるコンテンツを変化させて表示するステップとをコンピュータに実現させる。
【発明の効果】
【００２２】
本発明によれば、人体に対するマッサージを促すことができる。
【図面の簡単な説明】
【００２３】
【図１】実施例１における画像表示システム１の概要を説明する図である。
【図２】図１の入力装置５０の構成をより詳細に説明する図である。
【図３】情報処理装置１０のハードウェア構成を例示する図である。
【図４】情報処理装置１０の機能構成を例示する図である。
【図５】コンテンツ９２を例示する図である。
【図６】画像表示システム１における画像表示処理（Ｓ４０）を説明するフローチャートである。
【図７】図６の画像表示処理（Ｓ４０）を説明する図である。
【図８】実施例１における変形例１の入力装置５０の構成を説明する図である。
【図９】実施例１における変形例２の情報処理装置１０の機能構成を説明する図である。
【図１０】実施例１における変形例３の情報処理装置１０の機能構成を説明する図である。
【図１１】変形例３における周波数範囲選択部３１２を説明する図である。
【図１２】実施例１における変形例４の入力装置５０の使用状態を説明する図である。
【図１３】実施例１における変形例５の画像表示システム４の構成を説明する図である。
【図１４】実施例１における変形例６の入力装置５０の構成を説明する図である。
【発明を実施するための形態】
【実施例１】
【００２４】
本発明の実施形態を、各図面に基づいて説明する。
図１は、実施例１における画像表示システム１の概要を説明する図である。
図１に示すように、本実施形態の画像表示システム１は、情報処理装置１０と、入力装置５０と、表示装置９０とを有する。
情報処理装置１０と入力装置５０とは、ケーブル７０Ｂを介して接続しており、入力装置５０から情報処理装置１０に情報を送ることができる。ケーブル７０Ｂとは、音信号を転送可能なケーブルであり、例えば、ＲＣＡケーブル、ステレオミニプラグ等のアナログケーブル、ＬＡＮケーブル、又は、他ＦＭ無線通信等既知の通信手段が挙げられる。ケーブル７０Ｂは、音信号を転送可能なケーブルであるならば、ケーブルの種類、通信方式、通信プロトコルも問わない。
また、情報処理装置１０と表示装置９０とは、ケーブル７０Ａを介して接続しており、情報処理装置１０から表示装置９０に情報を送ることができる。ケーブル７０Ａとは、映像を転送可能なケーブルであり、例えば、ＨＤＭＩ（登録商標）ケーブル、又は、Ｄ端子ケーブル等の既知のケーブルが挙げられる。なお、情報処理装置１０と表示装置９０とは、上記有線接続だけでなく、無線接続でも構わない。
また、情報処理装置１０と表示装置９０とを一台に複合化してもよい。
【００２５】
情報処理装置１０は、コンピュータ端末であり、入力装置５０を介してユーザ１００からの入力を受け付け、ユーザ１００の入力に応じたコンテンツ９２を作成し、作成したコンテンツ９２を表示装置９０に表示する。本例の情報処理装置１０は、ケーブル７０を介して入力装置５０、及び、表示装置９０と接続している。
【００２６】
入力装置５０は、音を情報処理装置１０に入力する入力装置である。入力装置５０は、例えば、手で把持できる大きさであり、マイクロフォン５２と、マッサージ器具５４とを組み合わせ構成している。入力装置５０は、マイクロフォン５２をマッサージ器具５４の内部に配置してもよいし、マイクロフォン５２をマッサージ器具５４の外部に配置してもよい。なお、本例の入力装置５０は、マイクロフォン５２をマッサージ器具５４の内部に配置している。これにより、マイクロフォン５２は、マッサージ器具５４の外部に配置する場合に比べて、ノイズ音を拾いにくくなる。
入力装置５０は、マイクロフォン５２を介してマッサージ器具５４の近傍に生じる音を検知し、検知した音の音量に関する情報を情報処理装置１０に入力する。ここで、検知する音とは、例えば、マッサージ器具５４とユーザ１００の人体の一部とを摩擦するときに生じる摩擦音や、人の声も含む。また、人体の一部とは、例えば、頭部、胸部、背部、腕部（上腕及び前腕）、腰部（肩）、臀部、外陰部、及び、脚部（太もも、ふくらはぎ）である。本実施形態における人体の一部とは、外陰部である。
なお、マイクロフォン５２は、本発明に係る検知手段の一例である。
【００２７】
表示装置９０は、画像を表示する表示領域を備える表示装置である。本例の表示装置９０は、情報処理装置１０から表示されるコンテンツ９２の画像データを表示領域に表示する。さらに、表示装置９０は、音を再生する音響機器を備え、表示しているコンテンツ９２の画像データに関連する音声データを出力する。
【００２８】
本実施形態の画像表示システム１では、上記構成によって、入力装置５０を介してユーザの摩擦動作により生じる摩擦音を検知し、情報処理装置１０が検知した摩擦音の音量に応じたコンテンツ９２を作成する。これにより画像表示システム１は、検知した摩擦音の音量に応じて、表示装置９０に表示するコンテンツ９２の内容を変化させることができる。
【００２９】
図２は、図１の入力装置５０の構成をより詳細に説明する図である。
図２（Ａ）に例示するように、本例の入力装置５０は、マイクロフォン５２をマッサージ器具５４の内部に配置し、一体的に構成されている。
マイクロフォン５２は、既存のマイクロフォンで実現可能ある。マイクロフォン５２の大きさは、ユーザ１００が手で入力装置５０を把持する妨げとならないよう、マッサージ器具５４より小型であることが好ましい。本例のマイクロフォン５２は、ユーザ１００の人体の一部と接触しない位置において、マッサージ器具５４の内部に配置されている。マッサージ器具５４の内部とは、例えばマッサージ器具５４の凹部の内部、又は、マッサージ器具５４に埋め込まれたものを含む概念である。
【００３０】
マッサージ器具５４は、ユーザ１００の人体の一部に接触させ、人体の一部をマッサージする形状に形成されたマッサージ器具である。マッサージ器具５４は、ユーザ１００の人体の一部をマッサージする観点から、少なくともマッサージされる人体の一部と接触する部分において柔らかい素材で形成され、合成樹脂により形成されている。マッサージ器具５４は、例えば、ウレタン、シリコーン、又は、熱可塑性エラストマーにより形成されている。マッサージ器具５４は、人体の一部と接触する部分のみを柔らかい素材により形成してもよいし、マッサージ器具５４全体を柔らかい素材により形成してもよい。
マッサージ器具５４には、男性用と女性用とがあり、既存のマッサージ器具で実現可能ある。男性用のマッサージ器具５４は、図２（Ａ）に例示するように、筒状であり筒軸方向に男性の人体の一部を挿入できる程度の大きさの凹部を備えたマッサージ器具である。なお、本実施形態における男性用のマッサージ器具５４とは、例えば、筒状の精子採取器具である。また、女性用のマッサージ器具５４は、図２（Ｂ）に例示するように、女性の人体の一部に接触、又は、挿入可能な程度の太さに形成されたマッサージ器具である。なお、本実施形態における女性用のマッサージ器具５４とは、例えば、棒状の小型マッサージ器具である。
また、マッサージ器具５４は、マッサージ器具５４の内部にマイクロフォン５２を配置している。マッサージ器具５４は、柔らかい素材により形成されているため、ユーザ１００の人体の一部を摩擦することにより生じる摩擦音が小さくなる。そのため、本例の入力装置５０は、マッサージ器具５４に接触させるようマッサージ器具５４の内部にマイクロフォン５２を配置している。これにより、入力装置５０は、マイクロフォン５２を介して、マッサージ器具５４とユーザ１００の人体の一部とを摩擦する摩擦音を直接的に検知することができる。
【００３１】
図３は、情報処理装置１０のハードウェア構成を例示する図である。
図３に例示するように、情報処理装置１０は、ＣＰＵ２００、メモリ２０２、ＨＤＤ２０４、ネットワークインタフェース２０６（ネットワークＩＦ２０６）、表示装置２０８、及び、入力装置２１０を有し、これらの構成はバス２１２を介して互いに接続している。
ＣＰＵ２００は、例えば、中央演算装置である。
メモリ２０２は、例えば、揮発性メモリであり、主記憶装置として機能する。
ＨＤＤ２０４は、例えば、ハードディスクドライブ装置であり、不揮発性の記録装置としてコンピュータプログラム（例えば、図４の画像表示プログラム３０）やその他のデータファイル（例えば、図５の画像・音声データベース３８０）を格納する。
ネットワークＩＦ２０６は、有線又は無線で通信するためのインタフェースであり、例えば、入力装置１０及び表示装置９０との通信を実現する。
表示装置２０８は、例えば、液晶ディスプレイである。
入力装置２１０は、例えば、キーボード及びマウスである。
【００３２】
図４は、情報処理装置１０の機能構成を例示する図である。
図４に例示するように、本例の情報処理装置１０には、画像表示プログラム３０がインストールされると共に、画像・音声データベース３８０（画像・音声ＤＢ３８０）が構成される。
画像表示プログラム３０は、音情報取得部３００、音量判定部３１０、識別部３２０、コンテンツ作成部３３０、切替部３４０、及び、表示部３５０を有する。
なお、画像表示プログラム３０の一部又は全部は、ＡＳＩＣなどのハードウェアにより実現されてもよく、また、ＯＳ（Ｏｐｅｒａｔｉｎｇ Ｓｙｓｔｅｍ）の機能を一部借用して実現されてもよい。また、CD-ROMなどの記録媒体を介して、情報処理装置１０にインストールされてもよいし、アプリケーションとしてインストールされてもよい。
【００３３】
画像表示プログラム３０において、音情報取得部３００は、入力装置１０のマイクロフォン５２により検知した音に関する情報を取得する。音に関する情報とは、例えば音圧、周波数、波長、周期、及び、振幅の情報である。本例の音情報取得部３００は、検知した摩擦音の音量を示す振幅、又は、音圧の情報を取得する。また、例えば、音情報取得部３００は、検知した摩擦音の波形情報を取得する場合、摩擦音の音量に関する情報を切り分けて取得する。
【００３４】
音量判定部３１０は、音情報取得部３００により取得された音の音量が、既定のしきい値を超えたか否かを判定する。本例の音量判定部３１０は、取得した摩擦音を示す振幅、又は、音圧が既定のしきい値を超えたか否かを判定する。なお、音量判定部３１０は、本発明に係る音量判定手段の一例である。
【００３５】
識別部３２０は、表示部３５０により表示装置９０に表示しているコンテンツ９２の種類を識別する。識別部３２０は、検知した摩擦音の音量がしきい値を超えた場合に表示するコンテンツ９２か、検知した摩擦音の音量がしきい値以下の場合に表示するコンテンツ９２かを識別する。
本例の識別部３２０は、図５（Ａ）に例示するように、表示装置９０にコンテンツ９２Ａを表示している場合、コンテンツ９２Ａを摩擦音の音量がしきい値以下の場合に表示するコンテンツとして識別する。このコンテンツ９２Ａは、例えば、興奮度の低いキャラクター９３Ａの画像データと、この画像データに関連する音声データとを組み合わせている。また、識別部３２０は、図５（Ｂ）に例示するように、表示装置９０にコンテンツ９２Ｂを表示している場合、コンテンツ９２Ｂを摩擦音の音量がしきい値を超えた場合に表示するコンテンツとして識別する。このコンテンツ９２Ｂは、例えば、コンテンツ９２Ａに比べて興奮度の高いキャラクター９３Ｂの画像データと、この画像データに関連する音声データとを組み合わせている。なお、識別部３２０は、本発明に係る識別手段の一例である。
【００３６】
コンテンツ作成部３３０は、音量判定部３１０により判定された判定結果応じて、表示装置９０に表示するコンテンツ９２を作成する。ここで、コンテンツ９２とは、画像データと、音声データとを組み合わせて構成された情報である。本例では、画像・音声ＤＢ３８０に複数の画像データと複数の音声データとが互いに関連付けて登録されている。
画像データとは、静止画データおよび動画データを含み、例えば、人型キャラクター（例えば人、動物、植物等を擬人化したもの）又は人物、表情、体型、体の姿勢、服装、背景等を含む。また、音声データとは、例えば、音楽、効果音、会話、息遣い、音声等を含む。
コンテンツ作成部３３０は、画像・音声ＤＢ３８０に登録された画像データと音声データとを用いて、しきい値を超える摩擦音の音量である場合に、音量がしきい値を超えた場合に表示するコンテンツ９２Ｂを作成する。また、コンテンツ作成部３３０は、しきい値以下の摩擦音の音量である場合に、音量がしきい値以下の場合に表示するコンテンツ９２Ａを作成する。なお、コンテンツ作成部３３０は、本発明に係るコンテンツ作成手段の一例である。
【００３７】
切替部３４０は、マイクロフォン５２により検知された音の音量に応じて、表示装置９０に表示しているコンテンツ９２から他のコンテンツ９２に動的に切り替える。具体的には、切替部３４０は、音量判定部３１０により判定された判定結果と、識別部３２０により識別された識別結果との組み合わせに応じて、表示装置９０に表示するコンテンツ９２を切り替える。本例の切替部３４０は、コンテンツ作成部３３０により作成されたコンテンツ９２と、表示装置９０に表示しているコンテンツ９２とを検知された音の音量に応じて切り替える。切替部３４０は、しきい値を超える摩擦音の音量であり、かつ、表示装置９０に表示しているコンテンツが摩擦音の音量がしきい値以下のときに表示するコンテンツ９２Ａである場合、表示しているコンテンツ９２Ａから新たに表示するコンテンツ９２Ｂに切り替える。また、切替部３４０は、しきい値以下の摩擦音の音量であり、かつ、表示装置９０に表示しているコンテンツが摩擦音の音量がしきい値を超えるときに表示するコンテンツ９２Ｂである場合、表示しているコンテンツ９２Ｂから新たに表示するコンテンツ９２Ａに切り替える。切替部３４０は、一方のコンテンツから他方のコンテンツに切り替える場合、切替効果（トランジション）を用いて表示装置９０に表示するコンテンツを切り替えてもよい。また、切替部３４０は、表示している一方のコンテンツ９２から作成された他方のコンテンツ９２に切り替える場合、コンテンツ９２の一部を切り替えてもよい。例えば、コンテンツ９２の画像データの一部（顔の表情のみ）を切り替えてもよい。これにより、音量に応じて、表示部３５０に表示しているコンテンツ９２の一部を動的に変更することができる。なお、切替部３４０は、本発明に係る切替手段の一例である。
【００３８】
表示部３５０は、検知された摩擦音の音量に応じたコンテンツ９２を表示装置９０に表示する。具体的には、表示部３５０は、コンテンツ作成部３３０により作成された、摩擦音の音量に応じたコンテンツ９２を表示装置９０に表示する。本例の表示部３５０は、コンテンツ作成部３３０により作成されたコンテンツ９２Ａ又はコンテンツ９２Ｂを検知した摩擦音の音量に応じて表示装置９０に表示する。さらに具体的には、表示部３５０は、切替部３４０により、検知した摩擦音の音量に応じて、表示しているコンテンツ９２から他のコンテンツ９２に、表示させるコンテンツを動的に切り替えながらその旨を表示装置９０に表示する。なお、表示部３５０は、本発明に係る表示手段の一例である。
【００３９】
図６は、画像表示システム１における画像表示処理（Ｓ４０）を説明するフローチャートである。
図７は、図６の画像表示処理（Ｓ４０）を説明する図である。
なお、画像表示処理は、ユーザ１００が入力装置１０を用いて、ユーザ１００の人体の一部をマッサージするよう摩擦動作方向に動かし摩擦音を生じさせることにより、本処理が実施される。入力装置１０のマッサージ器具５４が男性用の場合、男性のユーザ１００は、マッサージ器具５４に男性の人体の一部を挿入し、摩擦動作方向に動かすことにより摩擦音を生じさせる。また、入力装置１０のマッサージ器具５４が女性用の場合、女性のユーザ１００は、マッサージ器具５４に女性の人体の一部を押し当て摩擦動作方向に擦り摩擦音を生じさせる。
図６及び図７に例示するように、ステップ４００（Ｓ４００）において、マイクロフォン５２は、マッサージ器具５４近傍に生じた摩擦音を検知する。マイクロフォン５２は、図７に例示するように、ユーザ１００の人体の一部とマッサージ器具５４とを摩擦することで生じた摩擦音を検知する。
【００４０】
ステップ４０５（Ｓ４０５）において、音情報取得部３００は、マイクロフォン５２により検知した摩擦音の音量を示す振幅、又は、音圧の情報を取得する。
【００４１】
ステップ４１０（Ｓ４１０）において、音量判定部３１０は、取得した摩擦音の音量が既定のしきい値を超えたか否かを判定する。画像表示処理（Ｓ４０）は、取得した摩擦音の音量が既定のしきい値を超えた場合にＳ４１５の処理に移行し、取得した摩擦音の音量が既定のしきい値以下の場合にＳ４２０の処理に移行する。
【００４２】
ステップ４１５（Ｓ４１５）において、識別部３２０は、表示装置９０に表示しているコンテンツ９２の種類が、検知した摩擦音の音量がしきい値を超えた場合に表示するコンテンツ９２Ｂか、検知した摩擦音の音量がしきい値以下の場合に表示するコンテンツ９２Ａかを識別する。画像表示処理（Ｓ４０）は、摩擦音の音量が既定のしきい値を超える音量であり、かつ、表示装置９０にコンテンツ９２Ａを表示している場合にＳ４２５の処理に移行し、新たに表示するコンテンツ９２Ｂを作成する。また、画像表示処理（Ｓ４０）は、摩擦音の音量が既定のしきい値を超える音量であり、かつ、コンテンツ９２Ｂを表示している場合にＳ４００の処理に戻る。
【００４３】
ステップ４２０（Ｓ４１５）において、識別部３２０は、表示装置９０に表示しているコンテンツ９２の種類が、検知した摩擦音の音量がしきい値を超えた場合に表示するコンテンツ９２Ｂか、検知した摩擦音の音量がしきい値以下の場合に表示するコンテンツ９２Ａかを識別する。画像表示処理（Ｓ４０）は、摩擦音の音量が既定のしきい値以下の音量であり、かつ、表示装置９０にコンテンツ９２Ｂを表示している場合にＳ４２５の処理に移行し、新たに表示するコンテンツ９２Ａを作成する。また、画像表示処理（Ｓ４０）は、摩擦音の音量が既定のしきい値以下の音量であり、かつ、コンテンツ９２Ａを表示している場合にＳ４００の処理に戻る。
【００４４】
ステップ４２５（Ｓ４２５）において、コンテンツ作成部３３０は、画像・音声ＤＢ３８０に登録された画像データと音声データとを取得し、表示装置９０に表示する摩擦音の音量に応じたコンテンツ９２を作成する。コンテンツ作成部３３０は、しきい値を超える摩擦音の音量である場合に、音量がしきい値を超えた場合に表示するコンテンツ９２Ｂを作成する。また、コンテンツ作成部３３０は、しきい値以下の摩擦音の音量である場合に、音量がしきい値以下の場合に表示するコンテンツ９２Ａを作成する。
【００４５】
ステップ４３０（Ｓ４３０）において、切替部３４０は、しきい値を超える摩擦音の音量であり、かつ、表示装置９０に音量がしきい値以下のコンテンツ９２Ａを表示している場合、表示しているコンテンツ９２Ａから新たに表示するコンテンツ９２Ｂに切り替える。また、切替部３４０は、しきい値以下の摩擦音の音量であり、かつ、表示装置９０に音量がしきい値を超えるコンテンツ９２Ｂを表示している場合、表示しているコンテンツ９２Ｂから新たに表示するコンテンツ９２Ａに切り替える。
【００４６】
ステップ４３５（Ｓ４３５）において、表示部３５０は、コンテンツ作成部３３０により作成されたコンテンツ９２Ａ又はコンテンツ９２Ｂを摩擦音の音量に応じて動的に切り替えてながら表示装置９０に表示する。
【００４７】
以上説明したように、本実施形態の画像表示システム１によれば、入力装置５０は、マッサージ器具５４に接触させるよう、マッサージ器具５４の内部にマイクロフォン５２を配置することにより、マイクロフォン５２を介して、マッサージ器具５４とユーザ１００の人体の一部とを摩擦する摩擦音を直接的に検知することができる。つまり、入力装置５０は、小さな摩擦音を選択的に検知することができる。
【００４８】
また、画像表示システム１は、ユーザがマッサージ刺激を自身に付与するタイミングをリアルタイムで検知できるため、マッサージ刺激を付与する摩擦動作運動に連動させて、表示装置に表示されるコンテンツを興奮度の低いコンテンツから興奮度の高いコンテンツに、又は、興奮度の高いコンテンツから興奮度の低いコンテンツに切り替えながら表示することができる。これにより、通常の男性用自慰具単体に比べてマッサージ効果を高めることができ、また、それを利用した疑似性体験デバイスの開発も可能である。
また、摩擦音を検知する方式であるため、圧電素子やボタンスイッチ等を用いた検知方式と異なり、男性ユーザの場合、マッサージする部位の大きさに左右されずに当該部位に対する摩擦状態を検知することができる。
【００４９】
また、画像表示システム１は、摩擦音の音量だけでに限定するものではなく、例えば周波数、波長、及び、周期等の情報である音波形情報を利用することにより複雑な処理がアレンジ出来る為、圧電素子では不可能なユーザーインターフェイスとして機能する。
【００５０】
［変形例１］
図８は、実施例１における入力装置５０の構成の変形例を説明する図である。
図８に例示するように、本変形例１の入力装置５０は、マッサージ器具５４の外部にマイクロフォン５２を配置している。マッサージ器具５４の外部とは、例えばマッサージ器具５４の外壁面側である。本変形例１の入力装置５０は、マイクロフォン５２を備えた固定用バンド５６をマッサージ器具５４の外壁面側に着脱自在に巻き付け、マイクロフォン５２とマッサージ器具５４とを組み合わせている。
マイクロフォン５２は、上記実施例１と実質的に同一の機能、構成を有する。本例のマイクロフォン５２は、固定用バンド５６に固定された状態で、マッサージ器具５４の外側に固定される。
【００５１】
マッサージ器具５４は、上記実施例１と実質的に同一の機能、構成を有するため、同一の符号を付し重複説明を省略する。
【００５２】
固定用バンド５６は、帯状であり、両端に面ファスナー、又は、ボタン等の固定具が設けられ、両端の固定具を互いに重ねることにより着脱自在に固定することができる。また、固定用バンド５６は、袋状のポケット５９を備え、ポケット５９の内側にマイクロフォン５２を収納することができる。
【００５３】
このように、本変形例１の入力装置５０は、固定用バンド５６を介して、マイクロフォン５２をマッサージ器具５４の外部に配置して構成している。入力装置５０は、固定用バンド５６をマッサージ器具５４に巻く構成により、様々な太さのマッサージ器具５４に合わせてマイクロフォン５２を固定することができる。これにより、入力装置５０は、マッサージ器具５４に固定用バンド５６を巻き付けるだけで様々な太さや形状のマッサージ器具５４に使用する事が出来る。そのため、ユーザーが普段愛用しているマッサージ器具５４をそのまま利用することができる。
また、入力装置におけるマイクロフォンの取付位置が摩擦音の発生源であるマッサージ器具近傍に配置されているため、ノイズ音を拾いにくい。一方、マイクロフォンの取付位置は、摩擦音を検知できる範囲であれば適宜設置場所を変更可能できるため設置場所の自由度が高い。
【００５４】
［変形例２］
本変形例２の画像表示システム２は、複数のユーザと通信可能とするシステムである。本変形例２の画像表示システム２は、例えば、情報処理装置１０にＬＡＮインターフェイスを備えている。画像表示システム１は、ネットワークを介して、複数の画像表示システムを互いに接続している。ネットワークに接続された画像表示システム１は、ＷＥＢカメラを情報処理装置１０を備えており、画像を撮影するユーザから他のユーザに、ＷＥＢカメラにより撮影された画像を送信する。
図９は、実施例１における変形例２の情報処理装置１０の機能構成を説明する図である。
図９に例示するように、本変形例２の情報処理装置１０にインストールされる画像表示プログラム３２は、音情報取得部３００、音量判定部３１０、識別部３２０、コンテンツ作成部３３０、切替部３４０、及び、表示部３５０に加えて、通信部３６０をさらに有する。
【００５５】
通信部３６０は、ネットワークを介して、撮影画像を送受信する。具体的には、通信部３６０は、撮影画像を受信する場合、撮影画像を送信するユーザから送信された撮影画像を受信する。また、通信部３６０は、撮影画像を送信する場合、他のユーザに情報処理装置１０に接続されたＷＥＢカメラにより撮影された画像を送信する。
ここで、撮影画像とは、コンテンツ９２の画像データに含まれる。撮影画像は、動画像または静止画像である。また動画像には、撮影された動画像、又は、撮影中の動画像を含む。なお、本例の通信部３６０は、撮影中の動画像をコンテンツ９２の画像データとしてリアルタイムに受信する。これにより、表示部３５０は、通信部３６０により受信したコンテンツ９２を、検知した摩擦音の音量に応じて切り替えながら表示することができる。
なお、通信部３６０は、本発明に係る通信手段の一例である。
【００５６】
また、音情報取得部３００、音量判定部３１０、識別部３２０、コンテンツ作成部３３０、切替部３４０、及び、表示部３５０は、上記実施例１と実質的に同一の機能、構成を有するため、同一の符号を付し重複説明を省略する。
【００５７】
このように、本変形例２の画像表示システム１は、ＷＥＢカメラを情報処理装置１０に接続した状態で、複数の画像表示システムをネットワークで互いに接続することができる。これにより、ＷＥＢカメラを介して遠隔地に居るユーザ（例えば、妻、夫、或は恋人等）同士をそれぞれの表示装置に撮影画像として表示することができる。また、画像表示システム１は、表示装置にお互いの撮影画像を表示させて、マイクロフォンに検知された摩擦音の音量に応じて表示させた画像をリアルタイムに変化させても良い。
【００５８】
［変形例３］
実施例１における変形例３の画像表示システム３は、選択的にユーザ１００の人体の一部とマッサージ器具５４とを摩擦することにより生じた摩擦音をしきい値判定するシステムである。これにより、画像表示システム３は、マッサージ器具５４近傍におけるマイクロフォン５２により検知された摩擦音に様々な音が含まれる場合であっても、人体の一部とマッサージ器具５４とを摩擦することにより生じた摩擦音を効率的にしきい値判定する。
【００５９】
図１０は、実施例１における変形例３の情報処理装置１０の機能構成を説明する図である。また、図１１は、変形例３における周波数範囲選択部３０５を説明する図である。
図１０に例示するように、本変形例３における情報処理装置１０にインストールされる画像表示プログラム３３は、音情報取得部３００、音量判定部３１０、識別部３２０、コンテンツ作成部３３０、切替部３４０、及び、表示部３５０に加えて、周波数範囲選択部３０５をさらに有する。
【００６０】
図１０に例示するように、周波数範囲選択部３０５は、マイクロフォン５２により検知された摩擦音のうち、主として人体の一部（外陰部）とマッサージ器具５４とを摩擦することにより生じた摩擦音の周波数範囲を選択する。具体的には、図１１に例示するように、マイクロフォン５２により検知された摩擦音には、外陰部とマッサージ器具５４とを摩擦することにより生じた摩擦音と、外陰部とマッサージ器具５４とを摩擦することにより生じた摩擦音以外の摩擦音（以下ノイズ音）とが含まれる。そこで、周波数範囲選択部３０５は、主として外陰部とマッサージ器具５４とを摩擦することにより生じた摩擦音を示す周波数範囲を選択する。周波数範囲選択部３０５は、摩擦音の周波数範囲の選択において、例えば、高速フーリエ変換（ＦＦＴ：Fast Fourier Transform）、又は、離散フーリエ変換（ＤＦＴ：discrete Fourier transform）等の処理を行う。また、周波数範囲選択部３０５は、ユーザ１００により摩擦音の周波数範囲を設定されてもよい。これにより、周波数範囲選択部３０５は、マイクロフォン５２により検知された摩擦音から周波数成分毎に摩擦音の大きさの抽出、又は、分離することができる。
【００６１】
音量判定部３１０は、周波数範囲選択部３０５により選択された外陰部とマッサージ器具５４とを摩擦することにより生じた摩擦音の周波数範囲において、摩擦音の音量を示す振幅、又は、音圧が既定のしきい値を超えたか否かを判定する。
【００６２】
また、音情報取得部３００、識別部３２０、コンテンツ作成部３３０、切替部３４０、及び、表示部３５０は、上記実施例１と実質的に同一の機能、構成を有するため、同一の符号を付し重複説明を省略する。
【００６３】
このように、本変形例３の画像表示システム３の情報処理装置１０によれば、マイクロフォン５２により検知された摩擦音のうち、外陰部とマッサージ器具５４とを摩擦することにより生じた摩擦音の周波数範囲を選択的にしきい値判定することができる。これにより、画像表示システム３は、他の不要な周辺環境のノイズ音をカットすることができるため、しきい値判定精度を向上させることができる。
また、変形例３の画像表示システム３は、入力装置５０に潤滑剤を塗布し使用することができる。これにより、情報処理装置１０は、検知した摩擦音のうち潤滑剤６０から生じた音を加味した上で、周波数範囲選択部３０５により選択された摩擦音の周波数範囲をしきい値判定することができる。
【００６４】
［変形例４］
上記実施例１における入力装置５０は、潤滑剤を使用しない形態を説明したが、変形例４の入力装置５０では、潤滑剤６０を使用する形態を説明する。
図１２は、実施例１における変形例４の入力装置５０の使用状態を説明する図である。
図１２に例示するように、変形例４における入力装置５０は、マッサージ器具５４の内部又は外部に潤滑剤６０を塗布し使用される。本変形例４の入力装置５０は、ユーザ１００により、例えば凹部を備えた男性用のマッサージ器具５４の内部に潤滑剤６０を塗布し使用される。ここで、潤滑剤６０とは、マッサージ器具５４と人体の一部との摩擦抵抗を軽減する潤滑剤であり、例えば、ローション、オイル、クリーム、又は、ジェル等である。
これにより、入力装置５０は、マッサージ器具５４の内部に潤滑剤６０を塗布された状態で、ユーザ１００の人体の一部を摩擦することにより、潤滑剤６０から生じた音を含む摩擦音をマイクロフォン５２を介して検知することができる。
【００６５】
［変形例５］
図１３は、実施例１における変形例５の画像表示システム４の構成を説明する図である。
図１３に例示するように、画像表示システム４は、入力装置５０と、複合携帯機器１９０とにより構成されている。画像表示システム４は、ケーブル７０Ｃを介して入力装置５０と複合携帯機器１９０とを接続しており、入力装置５０から複合携帯機器１９０に情報を送ることができる。ケーブル７０Ｃとは、音信号を転送可能なケーブルであり、例えば、ＲＣＡケーブル、ステレオミニプラグ等のアナログケーブル、ＬＡＮケーブル、又は、他ＦＭ無線通信等既知の通信手段が挙げられる。ケーブル７０Ｃは、音信号を転送可能なケーブルであるならば、ケーブルの種類、通信方式、通信プロトコルも問わない。
複合携帯機器１９０は、上記実施例１で説明した情報処理装置１０と表示装置９０とを一台に複合化した携帯型電子機器である。複合携帯機器１９０とは、例えば、ＰＤＡ、タブレット端末、スマートフォン、又は、ウエアラブル端末等である。複合携帯機器１９０には、ケーブル７０Ｃを接続するための接続端子が備えられている。
このように、画像表示システム４は、ケーブル７０Ｃを介して、可搬性のある複合携帯機器１９０に入力装置５０を接続することにより、ユーザは手軽に使用することができる。
【００６６】
［変形例６］
図１４は、実施例１における変形例６の入力装置５０の構成を説明する図である。
図１４に例示するように、本変形例６の入力装置５０は、マイクロフォン５２及びマッサージ器具５４に加えて、ホルダー５６及び固定台５８をさらに有する。
ホルダー５６は、マッサージ器具５４を支持する支持具である。ホルダー５６は、図１４（Ｂ）に例示するように、円柱状である本体の一方の端部に固定穴５７を備えている。固定穴５７は、ホルダー５６の筒軸方向に設けられた凹状の非貫通穴であり、マッサージ器具５４を挿入した状態で固定できる程度の大きさである。
また、ホルダー５６は、例えば柔らかい素材により形成され、具体的にはウレタン等の低反発素材により形成されている。そのため、ホルダー５６は、摩擦動作によって固定穴５７からマッサージ器具５４が脱落しないよう、着脱自在に固定穴５７にマッサージ器具５４を着脱自在に固定することができる。
また、ホルダー５６は、柔らかい素材により形成されたマッサージ器具５４の近傍にマイクロフォン５２を配置している。具体的には、ホルダー５６は、固定穴５７の内部または固定穴５７の表面のいずれかにマイクロフォン５２を配置している。また、ホルダー５６は、ホルダー５６の内部に埋め込むようマイクロフォン５２を配置してもよい。ホルダー５６は、柔らかい素材により形成されたマッサージ器具５４の近傍にマイクロフォン５２を配置することにより、摩擦音を直接的にマイクロフォン５２に検知させることができる。
【００６７】
固定台５８は、複合携帯機器１９０を固定した状態で保持する台である。固定台５８は、ホルダー５６に一体的に接続されている。固定台５８は、例えば、複合携帯機器１９０の両端を把持する把持片を備え、把持片により複合携帯機器１９０が脱落しない程度の把持強度で複合携帯機器１９０を固定している。これにより、固定台５８は、様々な形状の複合携帯機器１９０であっても使用することができる。
【００６８】
このように、本変形例６の入力装置５０は、既存の様々な形状のマッサージ器具５４をホルダー５６に固定することができる。これにより、入力装置５０は、マイクロフォン５２を固定しにくい形状のマッサージ器具５４であっても使用することができる。また、入力装置５０は、ホルダー５６の内部にマイクロフォン５２を固定することにより、周囲環境の余分な音を遮断することができるため、摩擦音を効率的にマイクロフォン５２に検知させることができる。
また、入力装置５０は、ホルダー５６と固定台５８と一体的に構成することにより、ユーザ１００は、両手が塞がることなく入力装置５０を使用することができる。
【符号の説明】
【００６９】
１、４    画像表示システム
１０      情報処理装置
５０      入力装置
５２      マイクロフォン
５４      マッサージ器具
９０      表示装置
９２      コンテンツ
３０、３２、３３      画像表示プログラム
３００    音情報取得部
３１０    音量判定部
３２０    識別部
３３０    コンテンツ作成部
３４０    切替部
３５０    表示部
３６０    通信部
５６      固定用バンド
３０５    周波数範囲選択部
１９０    複合携帯機器
【図１】
2018143592.tif 000003
【図２】
2018143592.tif 000004
【図３】
2018143592.tif 000005
【図４】
2018143592.tif 000006
【図５】
2018143592.tif 000007
【図６】
2018143592.tif 000008
【図７】
2018143592.tif 000009
【図８】
2018143592.tif 000010
【図９】
2018143592.tif 000011
【図１０】
2018143592.tif 000012
【図１１】
2018143592.tif 000013
【図１２】
2018143592.tif 000014
【図１３】
2018143592.tif 000015
【図１４】
2018143592.tif 000016
【手続補正書】
【提出日】平成29年8月30日(2017.8.30)
【手続補正１】
【補正対象書類名】特許請求の範囲
【補正対象項目名】全文
【補正方法】変更
【補正の内容】
【特許請求の範囲】
【請求項１】
入力装置と、情報処理装置とを含む画像表示システムであって、
前記入力装置は、
人体の一部をマッサージするマッサージ器具と、
前記マッサージ器具の内部又は外部に配置され、前記マッサージ器具近傍の音を検知するマイクロフォンと
を有し、
前記情報処理装置は、
前記マイクロフォンにより検知された音の音量が既定のしきい値を超えたか否かを判定する音量判定手段と、
前記音量判定手段により判定された判定結果に応じて、画像データと、音声データとを組み合わせて構成されたコンテンツを変化させて表示する表示手段と
を有する
画像表示システム。
【請求項２】
人体の一部とは、外陰部であり、
前記マッサージ器具は、マッサージされる人体の一部と接触する部分において、柔らかい素材により形成され、
前記マイクロフォンは、外陰部と前記マッサージ器具とを摩擦することにより生じた音を検知し、
前記表示手段は、外陰部と前記マッサージ器具とを摩擦することにより生じた音の音量に応じて、表示させるコンテンツを変化させて表示する
請求項１に記載の画像表示システム。
【請求項３】
前記マイクロフォンにより検知された音のうち、主として外陰部とマッサージ器具とを摩擦する摩擦音の周波数範囲を選択する周波数範囲選択手段
をさらに有し、
前記音量判定手段は、前記周波数範囲選択手段により選択された外陰部と前記マッサージ器具とを摩擦する摩擦音の周波数範囲において、摩擦音の音量が既定のしきい値を超えたか否かを判定し、
前記表示手段は、前記音量判定手段により判定された判定結果に応じて作成されたコンテンツを表示する
請求項２に記載の画像表示システム。
【請求項４】
前記マッサージ器具は、マッサージ器具の内部又は外部に潤滑剤を塗布され、
前記マイクロフォンは、潤滑剤を塗布されたマッサージ器具近傍の音を検知し、
前記音量判定手段は、潤滑剤から生じた音を含む摩擦音の音量が既定のしきい値を超えたか否かを判定し、
前記表示手段は、前記音量判定手段により判定された判定結果に応じて、コンテンツを表示する
請求項３に記載の画像表示システム。
【請求項５】
前記情報処理装置は、コンテンツを表示する表示装置と複合化された複合携帯機器であり、
前記マイクロフォンにより検知された摩擦音を伝送可能に、前記入力装置と前記複合携帯機器とを接続する接続ケーブル
をさらに有し、
前記表示手段は、前記接続ケーブルを介して伝送された摩擦音の音量に応じて、表示装置に表示させるコンテンツを変化させて表示する
請求項４に記載の画像表示システム。
【請求項６】
前記情報処理装置は、
撮影されたコンテンツを通信する通信手段
をさらに有し、
前記表示手段は、前記通信手段により受信したコンテンツを、検知した音の音量に応じて切り替えながら表示する
請求項５に記載の画像表示システム。
【請求項７】
検知された音に応じてコンテンツを表示する画像表示システムで用いられる入力装置であって、
人体の一部をマッサージするマッサージ器具と、
前記マッサージ器具の内部又は外部に配置され、当該マッサージ器具近傍の音を検知するマイクロフォンと
を有し、
前記マッサージ器具は、マッサージされる人体の一部と接触する部分において、柔らかい素材により形成され、
前記マイクロフォンにより検知された音が、前記画像表示システムに入力されるように接続されている
入力装置。
【請求項８】
前記マッサージ器具には、筒状の精子採取器具および棒状の小型マッサージ器具が含まれ、
柱状であり、前記マッサージ器具を着脱自在に固定する穴を備えた固定ホルダー
をさらに有し、
前記マイクロフォンは、前記固定ホルダーの穴の内部、又は、穴の表面のいずれかに設けた
請求項７に記載の入力装置。
【請求項９】
前記固定ホルダーに接続され、表示装置を取り付ける機構を設けた固定台
をさらに有する
請求項８に記載の入力装置。
【請求項１０】
人体と接触する際の音が特定の周波数の音が発生するように予め調節された
請求項７乃至９のいずれかに記載の入力装置。
【請求項１１】
帯状であり、前記マッサージ器具の外部に着脱自在に巻き付けた固定具
をさらに有し、
前記マイクロフォンは、前記固定具により前記マッサージ器具の外部に固定されている
請求項７乃至９のいずれかに記載の入力装置。
【請求項１２】
人体の一部をマッサージするマッサージ器具と、前記マッサージ器具の内部又は外部に配置され、当該マッサージ器具近傍の音を検知するマイクロフォンとを有する入力装置に対して、接続ケーブルを介して接続する接続端子と、
接続された入力装置のマイクロフォンにより検知された音の音量に応じて、コンテンツを変化させて表示する表示手段と
を有する複合携帯機器。
【請求項１３】
人体の一部をマッサージするマッサージ器具と、前記マッサージ器具の内部又は外部に配置され、前記マッサージ器具近傍の音を検知するマイクロフォンとを有する入力装置と、情報処理装置とを含む画像表示システムにおいて、
前記入力装置のマイクロフォンを介して音を検知するステップと、
検知された音の音量に応じて、コンテンツを変化させて表示するステップと
を有する画像表示方法。
【請求項１４】
人体の一部をマッサージするマッサージ器具と、前記マッサージ器具の内部又は外部に配置され、前記マッサージ器具近傍の音を検知するマイクロフォンとを有する入力装置と、情報処理装置とを含む画像表示システムにおいて、
前記入力装置のマイクロフォンを介して音を検知するステップと、
検知された音の音量に応じて、コンテンツを変化させて表示するステップと
をコンピュータに実行させるプログラム。
【手続補正書】
【提出日】平成30年1月25日(2018.1.25)
【手続補正１】
【補正対象書類名】特許請求の範囲
【補正対象項目名】全文
【補正方法】変更
【補正の内容】
【特許請求の範囲】
【請求項１】
入力装置と、情報処理装置とを含む画像表示システムであって、
前記入力装置は、
人体の一部をマッサージするマッサージ器具と、
前記マッサージ器具の内部又は外部に配置され、前記マッサージ器具近傍の音を検知するマイクロフォンと
を有し、
前記情報処理装置は、
前記マイクロフォンにより検知された音の音量が既定のしきい値を超えたか否かを判定する音量判定手段と、
前記音量判定手段により判定された判定結果に応じて、画像データと、音声データとを組み合わせて構成されたコンテンツを変化させて表示する表示手段と
を有する
画像表示システム。
【請求項２】
人体の一部とは、外陰部であり、
前記マッサージ器具は、マッサージされる人体の一部と接触する部分において、柔らかい素材により形成され、
前記マイクロフォンは、外陰部と前記マッサージ器具とを摩擦することにより生じた音を検知し、
前記表示手段は、外陰部と前記マッサージ器具とを摩擦することにより生じた音の音量に応じて、表示させるコンテンツを変化させて表示する
請求項１に記載の画像表示システム。
【請求項３】
前記マイクロフォンにより検知された音のうち、主として外陰部とマッサージ器具とを摩擦する摩擦音の周波数範囲を選択する周波数範囲選択手段
をさらに有し、
前記音量判定手段は、前記周波数範囲選択手段により選択された外陰部と前記マッサージ器具とを摩擦する摩擦音の周波数範囲において、摩擦音の音量が既定のしきい値を超えたか否かを判定し、
前記表示手段は、前記音量判定手段により判定された判定結果に応じて作成されたコンテンツを表示する
請求項２に記載の画像表示システム。
【請求項４】
前記マッサージ器具は、マッサージ器具の内部又は外部に潤滑剤を塗布され、
前記マイクロフォンは、潤滑剤を塗布されたマッサージ器具近傍の音を検知し、
前記音量判定手段は、潤滑剤から生じた音を含む摩擦音の音量が既定のしきい値を超えたか否かを判定し、
前記表示手段は、前記音量判定手段により判定された判定結果に応じて、コンテンツを表示する
請求項３に記載の画像表示システム。
【請求項５】
前記情報処理装置は、コンテンツを表示する表示装置と複合化された複合携帯機器であり、
前記マイクロフォンにより検知された摩擦音を伝送可能に、前記入力装置と前記複合携帯機器とを接続する接続ケーブル
をさらに有し、
前記表示手段は、前記接続ケーブルを介して伝送された摩擦音の音量に応じて、表示装置に表示させるコンテンツを変化させて表示する
請求項４に記載の画像表示システム。
【請求項６】
前記情報処理装置は、
撮影されたコンテンツを通信する通信手段
をさらに有し、
前記表示手段は、前記通信手段により受信したコンテンツを、検知した音の音量に応じて切り替えながら表示する
請求項５に記載の画像表示システム。
【請求項７】
人体の一部をマッサージするマッサージ器具と、前記マッサージ器具の内部又は外部に配置され、前記マッサージ器具近傍の音を検知するマイクロフォンとを有する入力装置と、情報処理装置とを含む画像表示システムにおいて、
前記入力装置のマイクロフォンを介して音を検知するステップと、
検知された音の音量に応じて、画像データと、音声データとを組み合わせて構成されたコンテンツを変化させて表示するステップと
を有する画像表示方法。
【請求項８】
人体の一部をマッサージするマッサージ器具と、前記マッサージ器具の内部又は外部に配置され、前記マッサージ器具近傍の音を検知するマイクロフォンとを有する入力装置と、情報処理装置とを含む画像表示システムにおいて、
前記入力装置のマイクロフォンを介して音を検知するステップと、
検知された音の音量に応じて、画像データと、音声データとを組み合わせて構成されたコンテンツを変化させて表示するステップと
をコンピュータに実行させるプログラム。